(57)【特許請求の範囲】
【請求項１】
座部（１６）と背もたれ部（１１）とがほぼ平らな状態になるベッド面と、背もたれ部（１１）が起こされた状態となるシート面とが選択可能に設けられる育児器具（１）であって、
ベッド面での使用を可能にし、シート面での使用を不可とする選択手段を備える、育児器具。
【請求項２】
前記育児器具（１）は、
前記背もたれ部（１１）に設けられ、前記背もたれ部（１１）の前記座部（１６）への位置決めを行なうための位置決め手段（１３ｂ）と、
前記座部（１６）に設けられ、前記座部（１６）と前記背もたれ部（１１）とがほぼ平らな状態となるベッド面を形成するように、前記位置決め手段（１３ｂ）が係合する第１係合部（２９，２５ｄ）と、
前記座部（１６）に設けられ、前記背もたれ部（１１）が起こされた状態となるシート面を形成するように、前記位置決め手段が係合する第２係合部（２９，２５ａ）と、
前記座部（１６）に設けられ、ベッド面とシート面との中間段階の傾斜となるように、前記位置決め手段が係合する中間係合部（２９，２５ｂ，２５ｃ）と、を備え、
前記選択手段（１００）は、前記位置決め手段（１３ｂ）の前記第１係合部（２９，２５ｄ）への係合のみを可能とし、前記第２係合部（２９，２５ａ）および前記中間係合部（２９，２５ｂ，２５ｃ）への係合を不可とする、請求項１に記載の育児器具。
【請求項３】
前記位置決め手段（１３ｂ）は、前記第１係合部（２９，２５ｄ）、前記第２係合部（２９，２５ａ）および前記中間係合部（２９，２５ｂ，２５ｃ）に係合する係合部材（１３ｂ）を有し、
前記第１係合部（２９，２５ｄ）、前記第２係合部（２９，２５ａ）および前記中間係合部（２９，２５ｂ，２５ｃ）は、段階的に設けられた複数の穴を有し、
前記選択手段（１００）は、前記穴に沿ってスライドし、第１の位置においては、前記第１係合部（２９，２５ｄ）、前記第２係合部（２９，２５ａ）および前記中間係合部（２９，２５ｂ，２５ｃ）を開放し、第２の位置においては前記第１係合部（２９，２５ｄ）を開放し、前記第２係合部（２９，２５ａ）および前記中間係合部（２９，２５ｂ，２５ｃ）を閉鎖するプレート部材を有する、請求項２に記載の育児器具。
【請求項４】
前記選択手段（１００）は、
前記座部（１６）と前記背もたれ部（１１）とがほぼ平らな状態になるベッド面の状態を維持させるため、前記座部（１６）と前記背もたれ部（１１）との相互位置関係を固定するためのロック手段を有する、請求項１に記載の育児器具。
【発明の詳細な説明】
【０００１】
【発明の属する技術分野】
この発明は、新生児期、乳児期および幼児期における赤ちゃんの医学的基準に基づいた育児器具に関し、より特定的には、赤ちゃんの呼吸を守ることを可能とする育児器具の構造に関するものである。
【０００２】
【背景技術】
育児器具にとって最も重要なことは、赤ちゃんに対する安全性能および快適性能が優れていることである。特に、脳の発達が未完成段階の新生児期および乳児期の赤ちゃんにとって、脳と首を守ることはもちろんであるが、さらには呼吸を守ることは大変重要なことである。
【０００３】
【発明が解決しようとする課題】
ここで、赤ちゃんの医学的な基準に基づいた育児器具に求められる構造について説明する。赤ちゃんは大人の縮小版と思われがちであるが、生きるためのいろいろな機能が未熟で、扱いを間違えると後々それが後遺症となる場合がある。たとえば、交通事故などによる外的な衝撃が加わった場合、赤ちゃんの頭部は相対的に重くそれを支える首の筋肉も弱いため、体の他の部位よりも衝撃を受けやすい。
【０００４】
また、脳を保護する頭蓋骨や脳血管は、構造的、機能的にまだ十分ではない。たとえば、０歳児、特に出生後６ヵ月頃までの赤ちゃんは、万一立て抱きにした場合、上下に軽くあやすのはよいが、前後に強く揺すると、時として脳出血を起こして後遺症が出たり、さらに死亡することさえある。
【０００５】
さらに、外部から衝撃を受けない日常生活においても、赤ちゃんはお腹を膨らませて息をする腹式呼吸を行なっているため、お腹が膨らむのを妨げない（たとえば、座席に座るような、体がくの字になる状態）ことが大切である。また、健康な赤ちゃんでも鼻が詰まりやすい上、うつ伏せ寝やお腹を圧迫するような姿勢で寝かせると酸素欠乏状態（経皮的酸素飽和度（ＳｐＯ２）が低下した状態）になる可能性がある。そういった場合、突然に心臓停止が生じることも考えられる。
【０００６】
このようなことを考えると、６ヵ月まではお腹を圧迫しない仰向けの姿勢で寝かせてあげることが重要となる。さらに、動きが活発になる６ヵ月以降も、上述した生理的な特性がまだまだ残っているので、赤ちゃんが眠る場合には、やはり仰向けの姿勢で寝かしてあげるのが好ましいといえる。
【０００７】
したがって、たとえばチャイルドシート、ベビーラック等の育児器具においては、そういった赤ちゃんの生理的な特性を十分に考え、赤ちゃんを本当の意味で守るために、赤ちゃんの脳、首だけではなくさらに呼吸を守るために、ベッド面状態を選択可能にすること、さらには、出生後一定の時期が過ぎるまでは、ベッド面状態しか選択できない構造を有することは、赤ちゃんを守るため大変重要な機能となる。
【０００８】
そこで、本願発明の目的は、赤ちゃんを本当の意味で守ることのできる構造を備えた育児器具に関し、特に、赤ちゃんの呼吸を守ることを可能とする育児器具を提供することにある。
【０００９】
【課題を解決するための手段】
すなわち、上記目的を達成するために、この発明に基づいた育児器具においては、座部と背もたれ部とがほぼ平らな状態になるベッド面と、背もたれ部が起こされた状態となるシート面とが選択可能に設けられる育児器具であって、ベッド面での使用を可能にし、シート面での使用を不可とする選択手段を備えている。
【００１０】
このような選択手段を設けることにより、出生後一定の時期が過ぎるまでは、ベッド面状態しか選択できないようにすることができるため、この時期においては、育児器具は常に赤ちゃんに対して、ベッド面状態を提供することとなり、赤ちゃんのお腹を圧迫することがない。
【００１１】
その結果、赤ちゃんの腹式呼吸を妨げることがなく、赤ちゃんが酸素欠乏状態（経皮的酸素飽和度（ＳｐＯ２）が低下した状態）になること、さらに酸素欠乏状態（経皮的酸素飽和度（ＳｐＯ２）が低下した状態）に起因する、突然の心臓停止を回避することができ、赤ちゃんを本当の意味で守ることが可能になる。
【００１２】
また、上記発明をより好ましい状態で実施するために、以下に示すいくつかの形態が採用される。
【００１３】
上記育児器具は、上記背もたれ部に設けられ、上記背もたれ部の前記座部への位置決めを行なうための位置決め手段と、上記座部に設けられ、上記座部と上記背もたれ部とがほぼ平らな状態となるベッド面を形成するように、上記位置決め手段が係合する第１係合部と、上記座部に設けられ、上記背もたれ部が起こされた状態となるシート面を形成するように、上記位置決め手段が係合する第２係合部と、上記座部に設けられ、ベッド面とシート面との中間段階の傾斜となるように、上記位置決め手段が係合する中間係合部とを備える。さらに、上記選択手段は、上記位置決め手段の上記第１係合部への係合のみを可能とし、上記第２係合部および上記中間係合部への係合を不可とする。
【００１４】
また、好ましくは、上記位置決め手段は、上記第１係合部、上記第２係合部および上記中間係合部に係合する係合部材を有し、上記第１係合部、上記第２係合部および上記中間係合部は、段階的に設けられた複数の穴を有し、上記選択手段は、上記穴に沿ってスライドし、第１の位置においては、上記第１係合部、上記第２係合部および上記中間係合部を開放し、第２の位置においては上記第１係合部を開放し、上記第２係合部および上記中間係合部を閉鎖するプレート部材を有している。
【００１５】
また、好ましくは、上記選択手段は、上記座部と上記背もたれ部とがほぼ平らな状態になるベッド面の状態を維持させるため、上記座部と上記背もたれ部との相互位置関係を固定するためのロック手段を有する。
【００１６】
【発明の実施の形態】
以下、赤ちゃんを本当の意味で守ることのできる構造を備えた育児器具に関し、特に、赤ちゃんの呼吸を守ることを可能とする本願発明に基づいた育児器具の構造について説明する。
【００１７】
図１に示すように、赤ちゃんは、新生児期、乳児期、および幼児期へと成長し、その体型は変化する。たとえば、頭の形状の変化、肩幅の変化、胴体の大きさの変化、腰の大きさの変化、脚の長さの変化などがあげられる。
【００１８】
一方、育児器具１の内部空間は、赤ちゃんの身体の部位に対応して、頭部空間１０００Ａ、肩部空間１０００Ｂ、腹部空間１０００Ｃおよび脚部空間１０００Ｄに分類することができる。したがって、各空間における容量を可変とする構造を実現することにより、全体的にサポート空間容量を変化させることが可能になる。また、多くの育児器具においては、ベッド面状態とシート状態とを選択することが可能な機構が採用されている。したがって、育児器具においては、赤ちゃんを受入れるためのサポート空間が上述した赤ちゃんの医学的基準を満足している必要がある。これにより、常に、赤ちゃんの体型に応じた最適な空間を提供し、安全性能の向上を図ることが可能になる。
【００１９】
ここで、図２および図３を参照して、ベッド面状態とシート状態とを選択することが可能な機構が採用されている育児器具の一例としてチャイルドシート２０００の概略構成について説明する。チャイルドシート２０００は、赤ちゃんの身体の発育に応じて、図２に示すベッド面状態と、図３に示すようにシート面状態とを選択することができる構成を備えている。
【００２０】
具体的には、シート本体２と、このシート本体２を回転可能および後傾可能に支持するベース４とを備える。シート本体２は、背もたれ部６と、座部８と、ヘッドレスト１０とを備える。シート本体２は、サイドガード２ａ，２ｂを含み、座部８はアームレスト８ａ，８ｂを含む。
【００２１】
サイドガード２ａ，２ｂ部分には、サイドガード２ａ，２ｂに対してスライドおよび取外し可能なスリーピングサポート１２，１４が取付けられている。
【００２２】
背もたれ部６および座部８には、年少者をチャイルドシート２０００に固定するための、５点式安全ベルトが設けられている。この５点式安全ベルトは、年少者の股部に位置し、上部にバックル１７が設けられる股ベルト１６と、腰ベルト１８，２０と、タングプレート１９，２１と、肩ベルト２２，２４とを備える。
【００２３】
また、肩ベルト２２，２４には、年少者のサポートをより好ましい状態にするための肩ベルトカバー２５が設けられている。背もたれ部６には、肩ベルト２２，２４の年少者に対する高さ位置を調節するための肩ベルト通し穴６ａが設けられている。
【００２４】
べース本体４には、足置ステップ２６と、シート本体２の回転動作および後傾動作を制御するための調節レバー２８とが設けられている。
【００２５】
次に、チャイルドシート２０００において、上述したようにベッド面状態を選択することができる重要性について説明する。
【００２６】
赤ちゃんの命を守るための医学的基準に基づき、赤ちゃんの発達状況に区別して以下に示す。このチャイルドシートの医学的基準においては、１歳未満の赤ちゃんの成長を、＜生後すぐ（新生児期）＞、＜首がすわる（乳児期）＞、＜ひとり座りができる（幼児期）＞の３段階に分けている。なお、この３段階は、ベビーカーに適用されるＳＧ基準に準拠するものである。ただし、＜生後すぐ＞に関しては、ＳＧ基準では生後２ヶ月までの使用は定められていない。
【００２７】
＜生後すぐ（新生児期〜、体重２．５ｋｇ〜）＞
・１日の平均睡眠時間はおよそ１８から２２時間。
【００２８】
・頭がぐらぐらし、首はまだすわらない。
【００２９】
・腰もぐらぐら。
【００３０】
・頭が重い。（脳の重さだけでも４００ｇ、寸法的にも４分の１）
・頭蓋骨が薄くて軟らかい。
【００３１】
・血管も弱く、強く揺れると脳内出血が起こりやすい。
【００３２】
・体位によって気道が閉塞される場合がある。
【００３３】
・お腹を膨らませて息をする腹式呼吸。
【００３４】
・音／光／振動などの刺激に驚きやすい。
【００３５】
・股関節が外れやすい。
【００３６】
・身長、体重の発育が著しい。
【００３７】
このように新生児期の赤ちゃんに対しては、新生児用ベッドとして、首を真っ直ぐに支え、呼吸が楽にでき、お腹を圧迫しない平らなベッドを用い、さらに衝突のとき、体、特に頭が揺れないクッション構造を採用した新生児用パッドを用いる。したがって、図４に示すように、チャイルドシート２０００を、自動車の後部座席１０００において、ベッド面状態にし、進行方向横向きにして使用することが好ましい。
【００３８】
＜首がすわってから（乳児期（２、３ヵ月ころ）〜、体重５．５ｋｇ〜）＞
・１日の平均睡眠時間はおよそ１６から２０時間。
【００３９】
・腰はまだぐらぐら。
【００４０】
・体重に比べて、まだ頭の比重が大きい。
【００４１】
・頭蓋骨がまだ薄くて軟らかい。
【００４２】
・血管も弱く、強く揺れると脳内出血が起こりやすい。
【００４３】
・お腹を膨らませて息をする腹式呼吸。
【００４４】
・振動の快適さや不快感を徐々に感じる。
【００４５】
・体、体重の発育が著しい。
【００４６】
このように乳児期の赤ちゃんに対しては、乳児用ベッドとして、衝突した場合でも、重い頭が激しく揺れない、またはお腹を圧迫しない平らなベッドを用い、さらに、頭や体が強く揺れず、子供の成長に合わせて調節できる、クッション構造を採用した乳児用パッドを用いる。したがって、図５に示すように、チャイルドシート２０００を、自動車の後部座席１０００において、ベッド面状態にし、進行方向横向きにして使用することが好ましい。
【００４７】
＜ひとり座りができてから（幼児期（６、７ヵ月ころ）〜、体重７．０ｋｇ〜１０．０ｋｇ未満）＞
・１日の平均睡眠時間はおよそ１２から１３時間
・体重に比べて、まだ頭の比重が大きい。
【００４８】
・頭蓋骨や血管が大人に比べてまだ弱い。
【００４９】
・体の動きが活発になり、手足の不自由さを嫌がる。
【００５０】
・振動の快適さや不快感をより感じる。
【００５１】
・外の景色に興味を持ち始める。
【００５２】
このように幼児期の赤ちゃんに対しては、腰がすわるようになっても頭蓋骨や脳血管の未熟性がまだ残っているため、できるだけ長く図２に示す状態の幼児用ベッドを使用することが好ましい。また、幼児用シートとして使用する場合であっても、図６に示すように、チャイルドシート２０００を、自動車の後部座席１０００において、進行方向後ろ向きにして使用することが好ましい
そこで、上記観点から、育児器具を赤ちゃんに対して使用する場合、少なくとも上記新生児期および乳児期の赤ちゃんに対しては、腹式呼吸を問題なくできるようにしてあげるために、ベッド面状態で使用することが好ましい。
【００５３】
したがって、本願発明においては、ベッド面状態とシート状態とが選択可能な育児器具において、新生児期および乳児期の赤ちゃんに対しては、ベッド面状態の使用を促し、シート状態での使用を阻止するような機構が備えられることにより、より確実に赤ちゃんを守ることが可能な機構を有する育児器具を提供する。
【００５４】
（研究結果）
次に、ベッド面状態とシート状態とにおける新生児の、経皮的酸素飽和度（ＳｐＯ２）の低下を確認する研究結果について述べる。研究対象としては、図２０に示すように、１２名の新生児を対象にして行なった。各新生児の出生体重（ｇ）、在胎週数（Ｗ）、および、日齢（ｄａｙｓ）は、図２０中に示すとおりである。また、研究に用いたベッド状シートの形状と椅子状シートの形状を図２１に示す。
【００５５】
研究方法は、ベッド状シート、椅子状シート、および、新生児用コットのそれぞれに、新生児を仰臥位に寝かせて、哺乳後３０分〜６０分後から３０分間観察し、経皮的酸素飽和度（ＳｐＯ２）の測定を行なった。測定結果を図２２および図２３に示す。
【００５６】
測定結果においては、経皮的酸素飽和度（ＳｐＯ２）が９５％未満の値が１０秒以上続く時の時間の回数を測定した。図２３に示すように、新生児氏名「Ｈ．Ａ」は、２０回／３０分間、新生児氏名「Ｒ．Ｙ」は、１８回／３０分間、新生児氏名「Ｓ．Ａ」は、１７回／３０分間、新生児氏名「Ｆ．Ｕ」は、９回／３０分間、新生児氏名「Ｉ．Ｍ」は、３回／３０分間、新生児氏名「Ｓ．Ｇ」は、１回／３０分間の低経皮的酸素飽和度（ＳｐＯ２）状態が測定された。特に、新生児氏名「Ｈ．Ａ」は、２０回のうち４回が、経皮的酸素飽和度（ＳｐＯ２）が９０％未満の状態であり、新生児氏名「Ｒ．Ｙ」は、１８回のうち１回が、経皮的酸素飽和度（ＳｐＯ２）が９０％未満の状態である。
【００５７】
図２３に、全新生児の測定データをまとめたものを示す。経皮的酸素飽和度（ＳｐＯ２）が９５％未満が測定されたのは、ベッド状シートの場合に比べ椅子状シートの方が多いことが理解できる。
【００５８】
結論として、１０秒以上にわたる経皮的酸素飽和度低下（ＳｐＯ２＜９５％）は、コットでは１度も認められなかったが、ベッド状シートでは２例で各１回、椅子状シートでは１２例中６例と有意に高率であった。したがって、新生児を椅子状シートに寝かせる場合には、注意深い観察が必要であると考えられる。
【００５９】
（実施の形態１）
以下、この発明に基づく実施の形態１における育児器具の一例として、チャイルドシートに適用した場合ついて図を参照して説明する。まず、図７および図８を参照して、この実施の形態におけるチャイルドシートの構造について説明する。
【００６０】
なお、チャイルドシート１には、本来その安全性を確保するために、チャイルドシート１を構成する部材の表面は衝撃を吸収するための部材、たとえばウレタンフォームなどによって覆われているが、チャイルドシート１の構造をより良く理解するために、本実施の形態において説明するチャイルドシート１には、このウレタンフォームを図示しない状態で説明する。
【００６１】
＜構成＞
まず、図７および図８を参照して、チャイルドシート１の概略構成について説明する。このチャイルドシート１は、座席装置１Ａ、支持装置１Ｂおよびベース１Ｃとを有している。
【００６２】
座席装置１Ａは、座部１６、この座部１６の後端側にヒンジ部材１８を介在してリクライニング可能に連結される背もたれ部１１を有している。背もたれ部１１の両側には、背もたれ部１１に対して略垂直方向に立上がる１対のサイドガード１２，１３が設けられている。また、背もたれ部１１の上端部には、前後方向に起き上がり可能にヒンジ部材１９ａを介在して連結されるヘッドガード１０が設けられている。
【００６３】
支持装置１Ｂは、１対のサイドガード１２，１３の内側に近接するように配設される１対のアームレスト１４，１５と、この１対のアームレスト１４，１５の下端部を連結する連結プレート（図示省略）を有している。ベース１Ｃは、支持装置１Ｂを略水平方向に回動可能なように保持装置（図示省略）を用いて保持している。
【００６４】
このチャイルドシート１には、このチャイルドシート１に保持される年少者をしっかりと保持するための安全ベルトが設けられるが、本発明の本質部分ではないため、図示および詳細な説明は省略する。
【００６５】
座席装置１Ａと支持装置１Ｂとは、１対のアームレスト１４，１５に設けられた支持点としてのボルト穴３３，３３と、１対のサイドガード１２，１３に設けられた支持点としてのボルト穴３７，３７とを結合するように、ピンボルト３４、ワッシャ３５およびナット３６を用いて連結される。
【００６６】
ここで、１対のサイドガード１２，１３と１対のアームレスト１４，１５とは、ボルト穴３３，３３およびボルト穴３７，３７の近傍領域において一部が重なり合うように配置される。
【００６７】
この構成により、年少者の側面部が少なくともサイドガード１２，１３とアームレスト１４，１５とによる２重構造によって保護されることとなるため、特にチャイルドシート１を横向きのベッド面状態として用いたときの自動車の衝突時の安全性を高めることが可能になる。
【００６８】
座部１６の両側面部には、ガイド突起１６ａ，１６ｂが設けられ、このガイド突起１６ａ，１６ｂが、アームレスト１４，１５の内側に設けられたブロックのガイド溝３２に嵌合するように取付けられる。これにより、座席装置１Ａの背もたれ部１１がピンボルト３４を中心として前側に回動した場合、座部１６は、ガイド溝３２に沿って徐々に後ろ方向に後退することになる。
【００６９】
サイドガード１２，１３の内側には、背もたれ部１１の傾斜角度を調節するための係合ピン１３ｂが、固定プレート１３ａに取付けられており、係合ピン１３ｂは、ばね１３ｃにより常に前方側に突出する状態となるように付勢されている。係合ピン１３ｂの後端には、ワイヤ１３ｄの一方端が接続され、ワイヤ１３ｄの他方端側には、背もたれ部１１に設けられた開口部１１ａを通過し、背もたれ部１１の裏面側に設けられたリクライニングレバー４３が接続されている。
【００７０】
図１０を参照して、１対のアームレスト１４，１５の後端側には、上述した係合ピン１３ｂを受入れるための係合穴２５ａ，２５ｂ，２５ｃ，２５ｄが設けられている。この係合穴２５ａ〜２５ｄは、金属製の補強プレート２９に設けられ、この補強プレート２９が１対のアームレスト１４，１５の後端側に取付けられている。
【００７１】
さらに、この補強プレート２９の前面側には、係合穴２５ａ，２５ｂ，２５ｃ，２５ｄに対応する位置に貫通穴１２５ａ，１２５ｂ，１２５ｃ，１２５ｄが設けられた選択プレート１００が設けられている。この選択プレート１００は、図１０の拡大断面図に示すように、補強プレート２９に対してピン１１０により固定されるとともに、長穴１２５ｅによりスライド可能に設けられている。また、貫通穴１２５ａ，１２５ｂ，１２５ｃは、係合穴２５ａ，２５ｂ，２５ｃと同じ大きさの穴径からなり、貫通穴１２５ｄは係合穴２５ｄに対してスライド方向に略２倍の長さを有する長穴からなる。
【００７２】
再び図７および図８を参照して、ヘッドガード１０と１対のアームレスト１４，１５とは、リンクバー４０によって連結されており、リンクバー４０の一方端４０ａが、ヘッドガード１０の下端部１０ａに回動可能に連結されており、リンクバー４０の他方端４０ｂは、アームレスト１４，１５の後端側に設けられたリンクガイド長穴２４に回動および摺動可能に嵌合している。なお、ヘッドガード１０は、背もたれ部１１の上端部にピン１９により背もたれ部１１に固定されたヒンジ部１９ａに回動可能に支持されている。
【００７３】
＜リクライニング角度調節＞
補強プレート２９に対して選択プレート１００が、図７および図１０に示す位置にある場合（選択プレート１００が最も下に位置する場合）は、すべての係合穴２５ａ，２５ｂ，２５ｃ，２５ｄが開放された状態となる。したがって、この場合には、係合ピン１３ｂはいずれの係合穴２５ａ〜２５ｄにも挿入可能な状態であるため、背もたれ部１１の後傾角度を、図７に示すように、背もたれ部１１が最も倒されたベッド面を形成する状態から、図８に示すように、背もたれ部１１が最も起こされたシート面のいずれの状態、または中間段階を選択することができる。
【００７４】
一方、補強プレート２９に対して選択プレート１００が、図９および図１１に示す位置にある場合（選択プレート１００が最も上に位置する場合）は、すべての係合穴２５ａ，２５ｂ，２５ｃは閉ざされ、係合穴２５ｄのみが開放された状態となる。その結果、この状態においては、図９に示すように、チャイルドシート１は背もたれ部１１が最も倒されたベッド面を形成する状態しか選択することができない。
【００７５】
このような機構を採用することにより、出生後一定の時期が過ぎるまでは、ベッド面状態しか選択できないようにすることができるため、この時期においては、チャイルドシートは常に赤ちゃんに対して、ベッド面状態を提供することとなり、赤ちゃんのお腹を圧迫することがない。これにより、経皮的酸素飽和度低下（ＳｐＯ２＜９５％）の発生を未然に防止することが可能になる。
【００７６】
（実施の形態２）
次に、図１２〜図１４を参照して、実施の形態２におけるチャイルドシートの構造について説明する。基本的構造については、上述した実施の形態１におけるチャイルドシート１と同じ機構を有しているため、相違点のみを説明する。
【００７７】
この実施の形態におけるチャイルドシートは、選択プレート１００を設ける代わりに、補強プレート２９の形状を改良し、さらに係合ピン１３ｂの突出長さの調節を可能としている。
【００７８】
具体的には、補強プレート２９においては、係合穴５５ａ，５５ｂ，５５ｃ，５５ｄの内、係合穴５５ｄは、実施の形態１における係合穴２５ｄと同じ位置に設けられているものの、係合穴５５ａ，５５ｂ，５５ｃについては、係合ピン１３ｂから遠ざかる位置に設けられている。
【００７９】
また、リクライニングレバー４３に、キャップを取り付けることにより、リクライニングレバー４３の移動量を調節し、係合ピン１３ｂの突出長さが、係合穴５５ｄには係合するが、係合穴５５ａ，５５ｂ，５５ｃには係合しない距離となるように設定されている。
【００８０】
したがって、リクライニングレバー４３に、キャップを取り付けない状態においては、図１２に示すベッド面および図１３に示すシート面のいずれの状態、または中間段階を選択することができる。
【００８１】
一方、リクライニングレバー４３に、キャップを取り付けた場合には、図１４に示すようにベッド面状態のみが選択され、図１５に示すように、係合ピン１３ｂが係合穴５５ａ，５５ｂ，５５ｃには係合しないため、他の状態を選択することはできない。
【００８２】
したがって、本実施の形態におけるチャイルドシートにおいても、出生後一定の時期が過ぎるまでは、ベッド面状態しか選択できないようにすることができるため、この時期においては、チャイルドシートは常に赤ちゃんに対して、ベッド面状態を提供することとなり、赤ちゃんのお腹を圧迫することがない。これにより、経皮的酸素飽和度低下（ＳｐＯ２＜９５％）の発生を未然に防止することが可能になる。
【００８３】
なお、必要に応じて、係合ピン１３ｂが係合穴５５ｂ，５５ｃに係合し、係合穴５５ａ，５５ｄには係合しない構造を採用することも可能である。
【００８４】
（実施の形態３）
次に、この発明に基づく実施の形態３における育児器具の一例として、乳母車適用した場合ついて図を参照して説明する。まず、図１６Ａ，１６Ｂを参照して、この実施の形態におけるベビーカーのリクライニング機構について説明する。
【００８５】
＜リクライニング機構＞
図１６Ａ，１６Ｂを参照して、このリクライニング機構を有する乳母車において、背もたれ部３００は、支持プレート３１に対して枢支軸Ｐ３により回動可能に支持されている。背もたれ部３００の上端部には、ヒンジ部４０１によりヘッドガード４００が回動可能に取付けられており、背もたれ部３００の下端部には、ヒンジ部１００ａにより座部１００が回動可能に取付けられている。ヒンジ部４０１にはコイルバネ４０２が挿入されており、常にヘッドガード４００を図中矢印で示す方向（図中Ｃ１方向）、つまり、ヘッドガード４００を背もたれ部３００と同一平面状態とする外力が付与される。
【００８６】
背もたれ部３００の背面側には、背もたれ部３００のリクライニング角度を調節するための角度調節装置３１０が設けられる。この角度調節装置３１０は角度調節プレート３１１を備える。この角度調節プレート３１１は、背もたれ部３００の前面側に突出するガイドピン３１８を有し、このガイドピン３１８は、背もたれ部３００の前面側において、背もたれ部３００から角度調節プレート３１１が外れないように、かつ上下方向にスライド可能なように支持するため、止輪３１９により固定されている。
【００８７】
また、角度調節プレート３１１はヘッドガード４００側に延びるスライドピン３１１ａを有し、このスライドピン３１１ａは、背もたれ部３００の背面に設けられるスライド溝３２０に沿って摺動可能に設けられている。
【００８８】
角度調節プレート３１１には、ロック機構としてのロックレバー３１２が、枢支軸Ｐ１１を中心に回動可能に設けられており、ロックレバー３１２を常にロック状態に付勢するためのコイルバネ３１６が、ロックレバー３１２と角度調節プレート３１１との間に設けられている。
【００８９】
ロックレバー３１２には、背もたれ部３００の背面において、上下方向に複数設けられた位置決め係合孔３０３〜３０６のいずれかに挿入可能なロックプレート３１７が設けられている。図１６Ａは、ロックプレート３１７によるロック状態を示す図であり、図１６Ｂは、ロックプレート３１７によるロック状態が解除された状態を示す図である。
【００９０】
また、背もたれ部３００の背面と角度調節プレート３１１との間には、選択プレート５００が設けられている。選択プレート５００は、背もたれ部３００に対してスライド可能なように、長穴５０７によりピン５０８を用いて固定されている。
【００９１】
選択プレート５００には、貫通穴５０３、５０４、５０５、５０６が設けられており、貫通穴５０４、５０５、５０６は、位置決め係合孔３０４、３０５、３０６と同じ大きさの穴が設けられ、貫通穴５０３は位置決め係合孔３０３に対してスライド方向に略２倍の長さを有する長穴からなる。
【００９２】
ヘッドガード４００のヒンジ部４０１側には、当接ピン４１２が設けられ、この当接ピン４１２を収容するための凹部４１１、および凹部４１１に収容され、当接ピン４１２を常に凹部４１１から突出させる方向に外力を付与するコイルバネ４１３が設けられている。
【００９３】
また、背もたれ部３００の背面部において、ヘッドガード４００に接する先端部分には、当接ピン４１２を収容部３２０へ案内するための凸部片３０２が設けられている。なお、当接ピン４１２は図示しない手段により、凹部４１１から脱落しない構造が採用されている。
【００９４】
支持プレート３１と角度調節プレート３１１との間には、それぞれ枢支軸Ｐ７およびＰ８を中心にして回動可能なように突張棒３０１が設けられている。
【００９５】
＜リクライニング動作＞
角度調節プレート３１１に対して選択プレート５００が、図１６Ａ，１６Ｂおよび図１７に示す位置にある場合（選択プレート５００が最も上に位置する場合）は、すべての位置決め係合孔３０３〜３０６が開放された状態となる。したがって、この場合には、ロックプレート３１７はいずれの位置決め係合孔３０３〜３０６にも挿入可能な状態であるため、背もたれ部３００の後傾角度を、図１６Ａ，１６Ｂに示すように、背もたれ部３００が最も倒されたベッド面を形成する状態から、図１７に示すように、背もたれ部３００が最も起こされたシート面のいずれの状態、または中間段階を選択することができる。
【００９６】
一方、角度調節プレート３１１に対して選択プレート５００が、図１８に示す位置にある場合（選択プレート５００が最も下に位置する場合）は、位置決め係合孔３０４〜３０６は閉ざされ、位置決め係合孔３０３のみが開放された状態となる。その結果、この状態においては、背もたれ部３００が最も倒されたベッド面を形成する状態しか選択することができない。
【００９７】
このような機構を採用することにより、出生後一定の時期が過ぎるまでは、ベッド面状態しか選択できないようにすることができるため、この時期においては、乳母車は常に赤ちゃんに対して、ベッド面状態を提供することとなり、赤ちゃんのお腹を圧迫することがない。これにより、経皮的酸素飽和度低下（ＳｐＯ２＜９５％）の発生を未然に防止することが可能になる。
【００９８】
なお、乳母車の場合、折畳み可能な機構が採用される場合がある。この場合、乳母車を折畳むには、背もたれ部３００を最も起こした状態で背もたれ部３００を固定する必要がある。このような場合には、図１９に示すように、貫通穴５０６を貫通穴５０３と同じ形状にすることで、背もたれ部３００の固定が可能になる。
【００９９】
なお、上記各実施の形態においては、背もたれ部を最も倒した状態が選択可能で、他の状態は選択できないようにする構造について述べたが、他の方法としては、ベッド面状態にある背もたれ部をアームレストに固定することによりベッド面状態を維持させる機構を採用することも可能である。たとえば、背もたれ部とアームレストとの重なり部分にピンを差し込む構造、背もたれ部とアームレストとにまたがるプレートを設ける構造等の採用が可能である。
【０１００】
また、上記実施の形態においては、育児器具の一例としてチャイルドシート、乳母車に本願発明を適用した場合について説明したが、同様の機構を有する育児器具であれば、ハイローベッド＆チェア等にも適用することが可能である。
【０１０１】
以上、今回開示された各実施の形態はすべての点で例示であって制限的なものではないと考えられるべきである。本発明の範囲は上記した説明ではなくて特許請求の範囲によって画定され、特許請求の範囲と均等の意味および範囲内でのすべての変更が含まれることが意図される。
【０１０２】
この発明に基づいた育児器具によれば、出生後一定の時期が過ぎるまでは、ベッド面状態しか選択できないようにすることができるため、この時期においては、育児器具は常に赤ちゃんに対して、ベッド面状態を提供することとなり、赤ちゃんのお腹を圧迫することがない。その結果、赤ちゃんの腹式呼吸を妨げることがなく、赤ちゃんが酸素欠乏状態になること、つまり、経皮的酸素飽和度低下（ＳｐＯ２＜９５％）の発生を未然に防止することが可能になる。さらに経皮的酸素飽和度低下に起因する、突然の心臓停止を回避することができ、赤ちゃんを本当の意味で守ることが可能になる。
【図面の簡単な説明】
【図１】育児器具における赤ちゃんに対する空間の概念を示す模式図である。
【図２】シート面状態におけるチャイルドシートの構造を示す全体斜視図である。
【図３】ベッド面状態（幼児用ベッド状態）におけるチャイルドシートの構造を示す全体斜視図である。
【図４】新生児用ベッドとして用いる場合のチャイルドシートの使用状態を示す図である。
【図５】乳児用ベッドとして用いる場合のチャイルドシートの使用状態を示す図である。
【図６】幼児用シートとして用いる場合のチャイルドシートの使用状態を示す図である。
【図７】実施の形態１におけるチャイルドシートのベッド面状態を示す第１側面図である。
【図８】実施の形態１におけるチャイルドシートのシート面状態を示す側面図である。
【図９】実施の形態１におけるチャイルドシートのベッド面状態を示す第２側面図である。
【図１０】補強プレート２９と選択プレート１００との関係を示す第１断面図である。
【図１１】補強プレート２９と選択プレート１００との関係を示す第２断面図である。
【図１２】実施の形態２におけるチャイルドシートのベッド面状態を示す第１側面図である。
【図１３】実施の形態２におけるチャイルドシートのシート面状態を示す側面図である。
【図１４】実施の形態２におけるチャイルドシートのベッド面状態を示す第２側面図である。
【図１５】係合穴５５ａ，５５ｂ，５５ｃと係合ピン１３ｂとの関係を示す拡大断面図である。
【図１６】実施の形態３における乳母車のベッド面状態を示す第１側面図であり、図１６Ｂは、角度調節装置３１０の拡大図である。
【図１７】実施の形態３における乳母車のシート面状態を示す側面図である。
【図１８】実施の形態３における乳母車のベッド面状態を示す第２側面図である。
【図１９】貫通穴５０６の他の形態を示す断面図である。
【図２０】経皮的酸素飽和度（ＳｐＯ２）の低下を確認する研究における研究対象を示す図である。
【図２１】研究に用いたベッド状シートと、椅子状シートとの形状を示す図である。
【図２２】研究対象者の経皮的酸素飽和度（ＳｐＯ２）が９５％以下になった場合を示す第１の図である。
【図２３】研究対象者の経皮的酸素飽和度（ＳｐＯ２）が９５％以下になった場合を示す第２の図である。
【図１】
0003699932.tif 000002
【図２】
0003699932.tif 000003
【図３】
0003699932.tif 000004
【図４】
0003699932.tif 000005
【図５】
0003699932.tif 000006
【図６】
0003699932.tif 000007
【図７】
0003699932.tif 000008
【図８】
0003699932.tif 000009
【図９】
0003699932.tif 000010
【図１０】
0003699932.tif 000011
【図１１】
0003699932.tif 000012
【図１２】
0003699932.tif 000013
【図１３】
0003699932.tif 000014
【図１４】
0003699932.tif 000015
【図１５】
0003699932.tif 000016
【図１６Ａ】
0003699932.tif 000017
【図１６Ｂ】
0003699932.tif 000018
【図１７】
0003699932.tif 000019
【図１８】
0003699932.tif 000020
【図１９】
0003699932.tif 000021
【図２０】
0003699932.tif 000022
【図２１】
0003699932.tif 000023
【図２２】
0003699932.tif 000024
【図２３】
0003699932.tif 000025